(57)【要約】【課題】新たな部品を使用することなく若しくは使用する部品を可及的に少なくして、レーザ光源や光検出器の防塵を簡単な構造によって確実に行うことができる光ピックアップ装置及び光情報記録及び／再生装置を提供できるようにする。【解決手段】情報信号の記録及び／又は再生のために光ビームを光ディスク５０の情報記録面に向かうように放射するレーザ光源２５及び情報記録面で反射された戻りの光ビームを受光する光検出器２６の少なくとも一方が、パッケージで覆われない状態で電気回路部分に実装された光ピックアップ装置に関する。光ビームが通過する部分を除いてレーザ光源２５及び光検出器２６の周囲を、少なくとも２つの部材を組み合わせてラビリンス構造６５として囲うようにする。【選択図】        図５
2005216329.tif 000002
【特許請求の範囲】
【請求項１】
情報信号の記録及び／又は再生のために光ビームを光学ディスクの情報記録面に向かうように放射するレーザ光源及び上記情報記録面で反射された戻りの光ビームを受光する光検出器の少なくとも一方が、パッケージで覆われない状態で電気回路部分に実装された光ピックアップ装置において、
上記光ビームが通過する部分を除いて上記レーザ光源及び／又は上記光検出器の周囲を、少なくとも２つの部材を組み合わせてラビリンス構造として囲うようにしたことを特徴とする光ピックアップ装置。
【請求項２】
上記レーザ光源及び／又は上記光検出器は、上記光学ディスクの情報記録面に対向される対物レンズを有する対物レンズ駆動装置が搭載されたスライドベースに実装したことを特徴とする請求項１記載の光ピックアップ装置。
【請求項３】
上記レーザ光源及び上記光検出器は、上記放射された光ビーム及び上記戻りの光ビームが互いに干渉しないように当該光ビームの放射部及び受光部の位置を異ならせると共に互いに接近させて上記スライドベースに実装したことを特徴とする請求項２記載の光ピックアップ装置。
【請求項４】
上記ラビリンス構造は、上記２つの部材のうちの第１の部材に設けた第１の囲い壁と、上記第１の部材に搭載された対物レンズ駆動装置を覆うように当該第１の部材に装着される第２の部材に設けた第２の囲い壁とを、互いに噛み合うように組み合わせて構成したことを特徴とする請求項２又は３記載の光ピックアップ装置。
【請求項５】
光学ディスクを回転駆動するディスク回転装置と、
情報信号の記録及び／又は再生のために光ビームを上記光学ディスクの情報記録面に向かうように放射するレーザ光源及び上記情報記録面で反射された戻りの光ビームを受光する光検出器を有し、上記レーザ光源及び上記光検出器の少なくとも一方がパッケージで覆われない状態で電気回路部分に実装された光ピックアップ装置と、
上記光ピックアップ装置を上記光学ディスクの上記情報記録面に沿って移動させるピックアップ移動装置と、
を備えた光情報記録及び／又は再生装置において、
上記光ビームが通過する部分を除いて上記レーザ光源及び／又は上記光検出器の周囲を、少なくとも２つの部材を組み合わせてラビリンス構造として囲うようにしたことを特徴とする光情報記録及び／又は再生装置。
【請求項６】
上記レーザ光源及び／又は上記光検出器は、上記光学ディスクの情報記録面に対向される対物レンズを有する対物レンズ駆動装置が搭載されたスライドベースに実装したことを特徴とする請求項５記載の光情報記録及び／又は再生装置。
【請求項７】
上記レーザ光源及び上記光検出器は、上記放射された光ビーム及び上記戻りの光ビームが互いに干渉しないように当該光ビームの放射部及び受光部の位置を異ならせると共に互いに接近させて上記スライドベースに実装したことを特徴とする請求項６記載の光情報記録及び／又は再生装置。
【請求項８】
上記ラビリンス構造は、上記２つの部材のうちの第１の部材に設けた第１の囲い壁と、上記第１の部材に搭載された対物レンズ駆動装置を覆うように当該第１の部材に装着される第２の部材に設けた第２の囲い壁とを、互いに噛み合うように組み合わせて構成したことを特徴とする請求項６又は７記載の光情報記録及び／又は再生装置。
【発明の詳細な説明】
【０００１】
【発明の属する技術分野】
本発明は、光ディスクや光磁気ディスク等の光学ディスクの情報記録面に対して光ビームを集光させる光ピックアップ装置及び、この光ピックアップ装置を用いて情報記録面に対して情報信号の記録（書込み）及び／又は再生（読出し）を行なう光情報記録及び／又は再生装置に関し、特に、レーザ光源及び光検出器の少なくとも一方がパッケージで覆われない状態で電気回路部分に実装された光ピックアップ装置及び光情報記録及び／又は再生装置に関するものである。
【０００２】
【従来の技術】
従来、一般に、光情報記録再生装置は、光学ディスクを所定速度で回転駆動するディスク回転装置と、光学ディスクの情報記録面上に光ビームを集光させる対物レンズを有する対物レンズ駆動装置を備えた光ピックアップ装置と、この光ピックアップ装置を光学ディスクの情報記録面に沿って移動させるピックアップ移動装置等によって構成されている。
【０００３】
従来の、この種の光情報記録再生装置に用いられる光ピックアップ装置としては、例えば、図１２に示すような構成のものが知られている。この光ピックアップ装置１は、対物レンズ駆動装置である二軸アクチュエータ２と、この二軸アクチュエータ２が搭載されるスライドベース３と、二軸アクチュエータ２に電力を供給するための電気回路が設けられたフレキシブル・フラット・ケーブル（以下「ＦＦケーブル」という。）４と、二軸アクチュエータ２の防護カバー５等を備えて構成されている。
【０００４】
二軸アクチュエータ２は、スライドベース３に固定される支持部材６及びヨーク７と、支持部材６に取り付けられている一対の可撓性を有するサスペンションワイヤ８，８と、これらサスペンションワイヤ８，８の先端に支持されているレンズホルダ９と、このレンズホルダ９に取り付けられている対物レンズ１０等を備えている。そして、レンズホルダ９には、フォーカス用及びトラッキング用のムービングコイル１１が取り付けられている。更に、ヨーク７には互いに対向される一対の立ち上げ片７ａ，７ａが形成されており、各立ち上げ片７ａにはマグネット１２が取り付けられている。このマグネット１２とムービングコイル１１との間に磁気回路が形成されている。
【０００５】
また、スライドベース３には、光ビームが通過される光路穴３ａが設けられている。この光路穴３ａの上方に対物レンズ１０を臨ませるように二軸アクチュエータ２がスライドベース３の上面に取り付けられる。そして、二軸アクチュエータ２を覆うように防護カバー５がスライドベース３に装着される。この防護カバー５には、光ビームを通過させるための開口窓５ａが設けられている。更に、スライドベース３の下面には角筒形状のカプラ取付部３ｂが設けられており、このカプラ取付部３ｂの下端部にレーザカプラ１３が取り付けられる。
【０００６】
このレーザカプラ１３内のレーザ光源である半導体レーザから光ビームが放射される。この半導体レーザから放射されて上方へ向かう光ビームは、スライドベース３に形成されている光路穴３ａを通過して二軸アクチュエータ２の対物レンズ１０に到達し、この対物レンズ１０で絞られて光ディスクの情報記録面に照射される。対物レンズ１０を透過した光ビームは、情報記録面で反射されて対物レンズ１０に戻り、再び対物レンズ１０を透過してレーザカプラ１３内の光検出器に照射される。この戻りの光ビームにより、情報記録面に記録されている情報信号の読み出しが行われ、同時にフォーカス誤差信号及びトラッキング誤差信号が検出される。
【０００７】
また、光ピックアップ装置１の二軸アクチュエータ２を制御するための電子部品１４等がＦＦケーブル４に実装されている。ＦＦケーブル４は、一側に突出する第１の接続部４ａと、他側に突出する第２の接続部４ｂとを有し、コネクタ１５を介して外部配線と接続される。第１の接続部４ａの先端部はフォーカス及びトラッキング用ムービングコイル１１への給電用として支持部材６に接続され、第２の接続部４ｂの先端部はレーザカプラ１３への給電用としてその底面側に接続される。このＦＦケーブル４は、配線基板１６を介してスライドベース３の側面に取り付けられる。
【０００８】
【発明が解決しようとする課題】
しかしながら、このような従来の光ピックアップ装置においては、フォーカス用及びトラッキング用ムービングコイル１１への給電用としてＦＦケーブル４を使用し、外部接続用にコネクタ１５を使用してコネクタ１５を介して外部配線とＦＦケーブル４の電気回路とを接続する構成となっていた。そのため、ＦＦケーブル４及びコネクタ１５の使用には、これらを取り付けるための部品が必要になることから、使用する部品点数を増加させるばかりでなく、これらを取り付ける作業が必要になり、その結果、コスト高を招いて光ピックアップ装置が高価なものになるという課題があった。
【０００９】
同様に、従来の光ピックアップ装置では、レーザカプラやホログラムレーザユニット等のように、半導体レーザや光検出器を１個のパッケージ内に収納してマウントし、パッケージで封止した部品を使用していたため、半導体レーザや光検出器をマウントしたり封止したりするための部品、作業等のコストが必要になると共に、レーザカプラ等の取付時に調節が必要であることから、組立工数や調整工数を増加させることになり、コスト高を招いているという課題もあった。
【００１０】
本発明は、このような従来の課題に鑑みてなされたものであり、パッケージのないレーザ光源や光検出器を電気回路部分に実装すると共に、光ビームが通過する部分を除いてレーザ光源や光検出器の周囲をラビリンス構造で囲うことにより、新たな部品を使用することなく若しくは使用する部品を可及的に少なくして、レーザ光源や光検出器の防塵を簡単な構造によって確実に行うことができる光ピックアップ装置及び光情報記録及び／再生装置を提供することを目的としている。
【００１１】
【課題を解決するための手段】
上述したような課題等を解決し、上記目的を達成するために、本出願の請求項１記載の光ピックアップ装置は、情報信号の記録及び／又は再生のために光ビームを光学ディスクの情報記録面に向かうように放射するレーザ光源及び情報記録面で反射された戻りの光ビームを受光する光検出器の少なくとも一方が、パッケージで覆われない状態で電気回路部分に実装された光ピックアップ装置において、光ビームが通過する部分を除いてレーザ光源及び／又は光検出器の周囲を、少なくとも２つの部材を組み合わせてラビリンス構造として囲うようにしたことを特徴としている。
【００１２】
本出願の請求項２記載の光ピックアップ装置は、レーザ光源及び／又は光検出器は、光学ディスクの情報記録面に対向される対物レンズを有する対物レンズ駆動装置が搭載されたスライドベースに実装したことを特徴としている。
【００１３】
本出願の請求項３記載の光ピックアップ装置は、レーザ光源及び光検出器は、放射された光ビーム及び戻りの光ビームが互いに干渉しないように光ビームの放射部及び受光部の位置を異ならせると共に互いに接近させてスライドベースに実装したことを特徴としている。
【００１４】
本出願の請求項４記載の光ピックアップ装置は、ラビリンス構造は、２つの部材のうちの第１の部材に設けた第１の囲い壁と、第１の部材に搭載された対物レンズ駆動装置を覆うように第１の部材に装着される第２の部材に設けた第２の囲い壁とを、互いに噛み合うように組み合わせて構成したことを特徴としている。
【００１５】
本出願の請求項５記載の光情報記録及び／又は再生装置は、光学ディスクを回転駆動するディスク回転装置と、情報信号の記録及び／又は再生のために光ビームを光学ディスクの情報記録面に向かうように放射するレーザ光源及び情報記録面で反射された戻りの光ビームを受光する光検出器を有し、レーザ光源及び光検出器の少なくとも一方がパッケージで覆われない状態で電気回路部分に実装された光ピックアップ装置と、光ピックアップ装置を光学ディスクの情報記録面に沿って移動させるピックアップ移動装置と、を備えた光情報記録及び／又は再生装置において、光ビームが通過する部分を除いてレーザ光源及び／又は光検出器の周囲を、少なくとも２つの部材を組み合わせてラビリンス構造として囲うようにしたことを特徴としている。
【００１６】
本出願の請求項６記載の光情報記録及び／又は再生装置は、レーザ光源及び／又は光検出器は、光学ディスクの情報記録面に対向される対物レンズを有する対物レンズ駆動装置が搭載されたスライドベースに実装したことを特徴としている。
【００１７】
本出願の請求項７記載の光情報記録及び／又は再生装置は、レーザ光源及び光検出器は、放射された光ビーム及び戻りの光ビームが互いに干渉しないように光ビームの放射部及び受光部の位置を異ならせると共に互いに接近させてスライドベースに実装したことを特徴としている。
【００１８】
本出願の請求項８記載の光情報記録及び／又は再生装置は、ラビリンス構造は、２つの部材のうちの第１の部材に設けた第１の囲い壁と、第１の部材に搭載された対物レンズ駆動装置を覆うように第１の部材に装着される第２の部材に設けた第２の囲い壁とを、互いに噛み合うように組み合わせて構成したことを特徴としている。
【００１９】
上述のように構成したことにより、本出願の請求項１記載の光ピックアップ装置では、レーザ光源及び光検出器の少なくとも一方が、光ビームが通過する部分を除いてラビリンス構造で覆われているため、レーザ光源や光検出器を簡単な構造によって簡易に封止することができ、簡単な構造でありながらゴミの侵入を確実に防止し又は効果的に抑制し、ゴミがレーザ光源や光検出器に付着するのを防止又は抑制することができ、防塵性に優れた光ピックアップ装置を提供することができる。
【００２０】
本出願の請求項２記載の光ピックアップ装置では、レーザ光源及び光検出器の少なくとも一方をスライドベースに実装することにより、簡単な構造でありながらゴミ等の侵入を確実に防止し又は効果的に抑制することができるスライドベースを備えた光ピックアップ装置を提供することができる。
【００２１】
本出願の請求項３記載の光ピックアップ装置では、レーザ光源の放射部と光検出器の受光部の位置を異ならせると共に互いに接近させて配置することにより、１個のラビリンス構想によってレーザ光源と光検出器の双方を同時に囲うことができ、装置の小型化を図ることができる。
【００２２】
本出願の請求項４記載の光ピックアップ装置では、第１の部材と第２の部材にそれぞれ囲い壁を設け、これらの囲い壁を互いに噛み合うように組み合わせることにより、新たな特別部品を使用することなく、従来から使用されている部品によってレーザ光源や光検出器を囲うラビリンス構造を簡単に造ることができ、ゴミ等の侵入を確実に防止し又は効果的に抑制することができる。
【００２３】
本出願の請求項５の光情報記録及び／又は再生装置では、レーザ光源及び光検出器の少なくとも一方が、光ビームが通過する部分を除いてラビリンス構造で覆われているため、レーザ光源や光検出器を簡単な構造によって簡易に封止することができ、簡単な構造でありながらゴミの侵入を確実に防止し又は効果的に抑制し、ゴミがレーザ光源や光検出器に付着するのを防止又は抑制することができ、光ピックアップ装置の防塵性に優れた光情報記録及び／又は再生装置を提供することができる。
【００２４】
本出願の請求項６の光情報記録及び／又は再生装置では、レーザ光源及び光検出器の少なくとも一方をスライドベースに実装することにより、簡単な構造でありながらゴミの侵入を確実に防止又は効果的に抑制することができるスライドベースを有する光ピックアップ装置を備えた光情報記録及び／又は再生装置を提供することができる。
【００２５】
本出願の請求項７の光情報記録及び／又は再生装置では、レーザ光源の放射部と光検出器の受光部の位置を異ならせると共に互いに接近させて配置することにより、１個のラビリンス構想によってレーザ光源と光検出器の双方を同時に囲うことができ、装置全体の小型化を図ることができる。
【００２６】
本出願の請求項８の光情報記録及び／又は再生装置では、第１の部材と第２の部材にそれぞれ囲い壁を設け、これらの囲い壁を互いに噛み合うように組み合わせることにより、新たな特別部品を使用することなく、従来から使用されている部品によってレーザ光源や光検出器を囲うラビリンス構造を簡単に造ることができ、ゴミの侵入を確実に防止し又は効果的に抑制できる装置を提供することができる。
【００２７】
【発明の実施の形態】
以下、本発明の実施の形態を添付図面を参照して説明する。図１〜図１１は本発明の実施の例を示すものである。即ち、図１は本発明の光ピックアップ装置の一実施例に係るベース部材の平面側斜視図、図２は図１のベース部材の要部拡大説明図、図３は光ピックアップ装置の分解斜視図、図４は光ピックアップ装置に係るカバー部材の底面側斜視図、図５は光ピックアップ装置の縦断面図、図６は図５のＸ−Ｘ線断面図、図７は光ピックアップ装置に係るベース部材の底面側斜視図、図８はベース部材の製造工程の説明図、図９は図３の光ピックアップ装置を用いた光情報記録及び／又は再生装置の一実施例を示す斜視図、図１０は図９の光情報記録及び／又は再生装置の送りねじ駆動装置を示す斜視図、図１１は図９の光情報記録及び／又は再生装置の概略構成を示すブロック説明図である。
【００２８】
図３及び図５に示すように、本発明の好適な形態の一実施例として示す光ピックアップ装置２０は、ベース部材２２とカバー部材２３とで構成されたスライドベース２１と、ベース部材２２に搭載された対物レンズ駆動装置の一具体例を示す二軸アクチュエータ２４と、情報信号の記録及び／又は再生のために光ビームを放射するレーザ光源２５と、このレーザ光源２５から放射された後光学ディスクの情報記録面により反射された戻りの光ビームを受光する光検出器２６等を備えて構成されている。
【００２９】
ベース部材２２は、平面形状が略長方形をなすと共に１の角部において斜め側方に突出するマウント部２２ａを有している。このベース部材２２は、図８に示すように、導電性の板金によって所定形状に形成された電気回路の一部を構成する回路芯材と、この回路芯材の必要な部分を露出させて他の部分を覆う絶縁性の材料により形成された外装基材２７とによって一体成形されている。この外装基材２７には、非磁性体である樹脂系材料（例えば、液晶ポリマー）が用いられているが、樹脂系材料に限定されるものではなく、磁性体でなければ金属を用いることもでき、またセラミックス等を適用することもできる。
【００３０】
このような外装基材によって覆われた回路芯材は、四角形の枠体をなす外部フレーム２７に対して複数の支持片２７ａにより連結されて四方から支持されている。これら複数の支持片２７ａは、成形時において回路芯材を支える役割を果している。この外部フレーム２７及び複数の支持片２７ａ並びに多数の端子の外端部を支える補助フレーム２８は、成品としてのベース部材２２には不要なものであるため、外装基材を射出成形した後の後処理において切断して取り除くようにする。
【００３１】
図３及び図８に示すように、ベース部材２２の上面には、二軸アクチュエータ２４等が収納される第１の凹陥部３０ａと、光検出器２６が収納される第２の凹陥部３０ｂと、マウント部２２ａの先端に形成された台座３１に設定され且つレーザ光源２５が収納される第３の凹陥部３０ｃとが設けられている。第１の凹陥部３０ａは、ベース部材２２のマウント部２２ａを除く略全面に渡って凹部となるように設けられている。また、第２の凹陥部３０ｂは、マウント部２２ａの略中央部に所定の大きさで四角形の凹部として設けられている。この第２の凹陥部３０ｂの一端は台座３１まで達しており、この第２の凹陥部３０ｂ側に開口するよう第３の凹陥部３０ｃが台座３１の上面に設けられている。
【００３２】
これら第１〜第３の凹陥部３０ａ〜３０ｃには、回路芯材を適当な形状に露出させることによって様々な形状の電気回路が設けられている。即ち、第１の凹陥部３０ａには、切欠き溝３２ａを設けることによって複数の端子３３ａが形成されて露出され、また、開口穴３２ｂを設けることによって多数の端子３３ｂが形成されて露出されている。そして、第２の凹陥部３０ｂには、光検出器２６が実装されるベース部と、このベース部の周囲に配された複数の端子部とを有する検出器用電気回路３４が設けられている。また、第３の凹陥部３０ｃには、レーザ光源２５が実装されるベース部と、このベース部の周囲に配された複数の端子部とを有する光源用電気回路３５が設けられている。
【００３３】
レーザ光源２５は、情報信号の記録及び／又は再生のために光ビームを放射するもので、例えば、半導体レーザ（レーザダイオード）等を適用することができる。このレーザ光源２５は、図２に示すように、光ビームの放射口を水平方向に向けて光源用電気回路３５に実装されている。そして、実装されたレーザ光源２５と光源用電気回路３５とが、複数のワイヤボンディング３６ａによって電気的に接続されている。
【００３４】
また、光検出器２６は、光学ディスクの情報記録面によって反射された戻りの光ビームを受けて情報信号、フォーカス誤差信号及びトラッキング誤差信号を読み取るもので、例えば、フォトダイオードＩＣ等を適用することができる。この光検出器２６は、光ビームの受光口を上方向に向けて検出器用電気回路３４に実装されている。そして、実装された光検出器２６と検出器用電気回路３４とが、複数のワイヤボンディング３６ｂによって電気的に接続されている。
【００３５】
図５に示すように、検出器用電気回路３４の面と光源用電気回路３５の面との間には適当な高さの段差が設定されており、上方に設置されたレーザ光源２５から放射される光ビームが下方に設置された光検出器２６と干渉しないように考慮されている。この光検出器２６の上方には、レーザ光源２５から放射された光ビームを透過させるプリズム３３が配置されている。プリズム３３は、第１の凹陥部３０ａと第２の凹陥部３０ｂとを連通させる連通溝３２ｃ内に収納されていると共に、その一部が光検出器２６の略全体と所定の隙間をあけて重なり合うように配設されている。
【００３６】
プリズム３３は、直方体の長手方向一側に傾斜された反射面３３ａを有するブロック状の部材からなり、その長手方向一側の端面に第１の回折格子部３３ｂが設定され、長手方向他側の端面に第２の回折格子部３３ｃが設定されている。このプリズム３３は、ベース部材２２に取り付けられるプリズムホルダ３７によって固定されている。
【００３７】
図１及び図３に示すように、プリズムホルダ３７は、プリズム３３が嵌合される嵌合溝３７ａを有するトンネル構造の部材からなり、そのトンネル部の両側には嵌合溝３７ａと交差する方向に突出するフランジ部３７ｂがそれぞれ設けられている。各フランジ部３７ｂの先端には、下方に突出すると共に可撓性を有する係止爪３７ｃがそれぞれ設けられている。一対の係止爪３７ｃをベース部材２２の一対の爪穴２２ｂに係合させることにより、プリズムホルダ３７がベース部材２２に取り付けられている。
【００３８】
かくして、レーザ光源２５から放射された光ビームは、プリズム３３の第１の回折格子部３３ｂに入射され、その内部を進行して反対側の第２の回折格子部３３ｃから出射される。また、情報記録面で反射された戻りの光ビームは、再び第２の回折格子部３３ｃに入射され、ここで所定角度屈折されて反射面３３ａに向かう。この光ビームは反射面３３ａで反射されて下方に向かい、プリズム３３の下面から出射されて、光検出器２６の受光部に入射される。
【００３９】
図１に示すように、ベース部材２２の第１の凹陥部３０ａの略中央部には、対物レンズ駆動装置の一具体例を示す二軸アクチュエータ２４が搭載されて一体的に構成されている。図３等にも示すように、二軸アクチュエータ２４は、調整プレート３８に固定される支持部材３９と、この支持部材３９に一端側が固定された４本のサスペンションワイヤ４０と、これら４本のサスペンションワイヤ４０によって弾性支持された二軸可動部４１等から構成されている。
【００４０】
支持部材３９は絶縁材料で形成されており、固定ネジ等の固着手段によって調整プレート３８に固定されている。調整プレート３８はベース部材２２に対して上下方向へ高さ調整可能とされており、この調整プレート３８がベース部材２２の上面に突出する量を調整することによって二軸アクチュエータ２４の高さを調整することができる。この調整プレート３８は、接着剤その他の固着手段によってベース部材２２に固定される。
【００４１】
支持部材３９に各一端が固定された４本のサスペンションワイヤ４０は、適当な弾性を有する導電性材料によって形成されている。更に、４本のサスペンションワイヤ４０は、上下及び左右にされぞれ対称をなすよう平行に配置されており、これらの先端に二軸可動部４１が固定されている。二軸可動部４１は、絶縁性材料によって形成されたレンズホルダ４２と、このレンズホルダ４２に支持固定された２枚で一対をなすプリントコイル基板４３ａ，４３ｂと、同じくレンズホルダ４２に固定された対物レンズ４４等を備えて構成されている。
【００４２】
二軸可動部４１のレンズホルダ４２は、対物レンズ４４が固定されるホルダ部４２ａと、このホルダ部４２ａと重量バランスを取るためのバランス部４２ｂと、ホルダ部４２ａ及びバランス部４２ｂ間を所定の隙間をあけて連結する一対の連結壁部４２ｃ，４２ｃとを有している。レンズホルダ４２のホルダ部４２ａは、庇のように側方に張り出した張出部を有し、この張出部に設けられた貫通穴の上部に対物レンズ４４が嵌合され、接着剤等の固着手段により固定されて一体的に構成されている。
【００４３】
更に、レンズホルダ４２のバランス部４２ｂの内側に第１のプリントコイル基板４３ａが取り付けられ、ホルダ部４２ａの内側に第２のプリントコイル基板４３ｂが取り付けられている。２枚のプリントコイル基板４３ａ，４３ｂは、プリントコイルの巻き方を対称とした略同一形状・構造を有するものであって、それぞれ２種類のプリントコイルを重ね合わせて貼り付けるようにして構成されている。
【００４４】
一対のプリントコイル基板４３ａ，４３ｂの表側（後述するマグネット４６に近い側）には、上下に分割してそれぞれ巻回するように形成された横長のフォーカス用プリントコイルが設けられている。そして、各プリントコイル基板４３ａ，４３ｂの裏側（マグネット４６から遠い側）には、左右に分割してそれぞれ巻回するように形成された若干縦長とされたトラッキング用プリントコイルが設けられている。
【００４５】
このような２枚のプリントコイル基板４３ａ，４３ｂが、図１及び図５等に示すように、互いに所定の隙間をあけて平行をなすように配置されてレンズホルダ４２に固定されている。そして、４本のサスペンションワイヤ２０の各端部と２本の結線導電材が、２枚のプリントコイル基板４３ａ，４３ｂの接続部にそれぞれ接続されている。４本のサスペンションワイヤ２０の各他端にはフレキシブル配線基板の配線パターンが接続され、その配線パターンはベース部材２２に設けた電気回路に接続されている。
【００４６】
このような電気回路を有するベース部材２２は、これを合成樹脂で成形することによって容易に製作することができる。例えば、回路芯材を中子のように使用し、分割金型内に外装基材を射出させて、射出成形によって一体成形する。かかる場合には、開口部３２ｂに多数の端子を露出させたコネクタ部４５を有するベース部材２２を、射出成形の１工程によって一体に作ることができる。
【００４７】
また、２枚のプリントコイル基板４３ａ，４３ｂの間には、各プリントコイルとの間に所定の隙間をあけてマグネット４６を介在させるように設ける。マグネット４６は、１極着磁された直方体からなり、例えば、第１のプリントコイル基板４３ａの表側にＮ極又はＳ極を対向させ、第２のプリントコイル基板４３ｂの表側に反対側とは異なる極を対向させて配置する。しかしながら、コイルの仕様により、マグネット４６に２極着磁したものを使用し、プリントコイル基板４３ａおよび４３ｂに同極を対向させて配置しても良いことは勿論である。
【００４８】
このマグネット４６を所定位置において所定高さに支持固定するため、ベース部材２２には上方に突出する支持台４７が設けられている。この支持台４７には、他の部品を介することなく、マグネット４６を直接載置させて固定するようにする。そして、第１及び第２のプリントコイル基板４３ａ，４３ｂの各プリントコイルの面と、これに対向するマグネット４６の各対向面とは、それぞれ平行又は略平行となるように構成する。
【００４９】
更に、支持台４７には、マグネット４６を挟持する一対の挟持片４７ａ，４７ａが設けられている。この挟持片４７ａ，４７ａ間にマグネット４６を嵌合させて支持台４７上に載置させることにより、マグネット４６の上記平行する方向の位置決めを行うことができる。このマグネット４６に対して２枚のプリントコイル基板４３ａ，４３ｂは、それぞれのプリントコイルにより発生される合推力点がマグネット４６の中心と略同一となるように設置する。
【００５０】
また、光軸が上下方向に設定されている対物レンズ４４の下方には、入射される光ビームを反射してその進行方向を変更させる反射ミラー４８が配置されている。反射ミラー４８は、ベース部材２２に設けたミラー受け台４９の傾斜面に固定されている。このミラー受け台４９の傾斜面によって反射ミラー４８の反射面が、水平面と略４５°をなす傾斜面に設定されている。この反射ミラー４８の反射面の中心を、レーザ光源２５から出射される光ビームの光軸の中心と一致させるか又は略一致させるように構成する。
【００５１】
かくして、プリズム３３を透過して水平に進む光ビームが反射ミラー４８に到達すると、その光ビームは反射面で直角に９０°曲げられて上方に進行し、対物レンズ４４を透過する。また、情報記録面で反射された後、再び対物レンズ４４を透過して下に向かって進む光ビームが反射ミラー４８に到達すると、その光ビームは反射面で９０°曲げられ、対物レンズ４４の光軸と直交する水平方向に進行する。
【００５２】
この二軸アクチュエータ２４によれば、４本のサスペンションワイヤ４０間に流される電流に応じて、一対のプリントコイル基板４３ａ，４３ｂが固定されたレンズホルダ４２に、上下又は左右方向の推力を自在に発生させることができる。その結果、これら推力の発生により、一対のプリントコイル基板４３ａ，４３ｂと対物レンズ４４とレンズホルダ４２とを有する二軸可動部４１が、互いに直交する２方向に移動され、対物レンズ４４を透過する光ビームによるフォーカシング及び／又はトラッキングの制御駆動が実行される。
【００５３】
このような構成を有する二軸アクチュエータ２４が搭載されたベース部材２２には、ガイド軸による案内を受けると共に二軸アクチュエータ２４の防塵を図る等を目的とするカバー部材２３が装着される。ベース部材２２とカバー部材２３は、装着後に固定ネジ等の固着手段により締付固定されて一体化され、これによりスライドベース２１が構成されている。
【００５４】
図３〜図５に示すように、カバー部材２３は、ベース部材２２の上面を覆う上面部２３ａと、この上面部２３ａの周囲を囲う側面部２３ｂとを有し、下面に開口した蓋状の部材とされている。従って、カバー部材２３の上面部２３ａはベース部材２２の平面形状を若干拡大した略相似形をなしており、その長手方向の一側には主軸受５２が設けられ、長手方向の他側には副軸受５３が設けられている。
【００５５】
カバー部材２３の主軸受５２は、上面部２３ａの幅方向に所定の間隔をあけて対向された２つの軸受部を有し、各軸受部には軸心線を共通にする軸受穴５２ａが設けられている。この軸受穴５２ａには、後述する第１のガイド軸が摺動可能に挿通される。また、副軸受５３には側方に開口された軸受溝５３ａが設けられており、この軸受溝５３ａには、後述する第２のガイド軸が摺動可能に係合される。この軸受溝５３ａの底面には、第２のガイド軸との間のガタを少なくすると共に摺動時の摩擦抵抗を軽減させるためのガイド凸部５４が設けられている。
【００５６】
更に、カバー部材２３の上面部２３ａの略中央部には、二軸アクチュエータ２４の対物レンズ４４を露出させるための開口窓５５と、一対のプリントコイル基板４３ａ，４３ｂの上下運動を許容するための２つの開口溝５６ａ，５６ｂが設けられている。そして、上面部２３ａの内面において、二軸アクチュエータ２４の上方には、二軸可動部４１との干渉を避けるための第１の逃げ凹部５７ａと、支持部材３９との干渉を避けるための第２の逃げ凹部５７ｂと、プリズムホルダ３７との干渉を避けるための第３の逃げ凹部５７ｃとが設けられている。
【００５７】
このような構成を有するカバー部材２３と上述したベース部材２２とで構成されるスライドベース２１には、マウント部２２ａに搭載されたレーザ光源２５と光検出器２６の周囲を、情報信号の記録及び／又は再生のための光ビームが通過する部分を除いて囲うラビリンス（迷路）構造の防塵機構が設けられている。このラビリンス構造は、第１の部材の一具体例を示すベース部材２２に設けられた第１の囲い壁６０と、第２の部材の一具体例を示すカバー部材２３に設けられた第２の囲い壁６１とによって構成されている。
【００５８】
第１の囲い壁６０は、図１及び図２等に示すように、第２の凹陥部３０ｂと第３の凹陥部３０ｃの周囲を囲うように設けられた内側壁６２と、この内側壁６２の周囲を囲うように設けられた外側壁６３とを有している。そして、内側壁６２と外側壁６３との間に所定の隙間を有する防塵溝６４が形成されている。
【００５９】
第１の囲い壁６０の内側壁６２は、第３の凹陥部３０ｃの三方を囲う内壁中央部６２ａと、この内壁中央部６２ａの両側に連続されて第２の凹陥部３０ｂの両側を囲う内壁側部６２ｂ，６２ｂとを有している。この左右の内壁側部６２ｂ，６２ｂ間にプリズムホルダ３７の一部が挿入されており、これにより両者間の隙間を狭くしてゴミの侵入を防止している。また、外側壁６３は、内側壁６２の外面形状と略同様の形状とされており、内壁中央部６２ａに対応された外壁中央部６３ａと、内壁側部６２ｂ，６２ｂに対応された外壁側部６３ｂ，６３ｂとを有している。
【００６０】
第２の囲い壁６１は、図４に示すように、第３の逃げ凹部５７ｃの副軸受５３側を囲うようにカバー部材２３の下面において下方へ立ち下げるように設けられている。この第２の囲い壁６１は、第１の囲い壁６０に設けられた防塵溝６４の形状に対応する形状とされている。従って、カバー部材２３をベース部材２２に組み合わせることにより、第２の囲い壁６１が第１の囲い壁６０の防塵溝６４内に入り込む。
【００６１】
その結果、図５及び図６に示すように、第１の囲い壁６０と第２の囲い壁６１とでラビリンス構造６５が構成され、このラビリンス構造６５によってレーザ光源２５及び光検出器２６が囲われる。このラビリンス構造６５は、気体が急激に膨張すると圧力が低下してそのエネルギが失われる原理を応用したもので、第１の囲い壁６０と第２の囲い壁６１の隙間から気体が漏れるのを防止又は抑制し、ゴミが内部に入り込むのを防ぐことを目的としている。これにより、ゴミがスライドベース２１内に入り込むのを防ぎ、そのゴミがレーザ光源２５や光検出器２６に付着するのを防止又は抑制している。
【００６２】
上述したベース部材２２とカバー部材２３は、固着手段の一具体例を示す固定ネジ７０によって着脱可能に締付固定されている。そのため、ベース部材２２には、図１等に示すように、外装基材の３箇所に上下方向に貫通する挿通穴６８が設けられている。また、カバー部材２３には、図４に示すように、ベース部材２２の挿通穴６８と対応する３箇所にネジ穴６９が設けられている。このカバー部材２３にベース部材２２を嵌合させて装着した後、各挿通穴６８にネジ軸を挿通して先部をネジ穴６９に螺合させて固定ネジ７０を締め込むことにより、図７に示すように、３本の固定ネジ７０によってスライドベース２１が一体的に構成されている。
【００６３】
尚、図７に示すように、ベース部材２２の裏面には複数のリブ７１が設けられており、これらのリブ７１によってベース部材２２が補強されている。更に、ベース部材２２の裏面には、回路芯材の一部を露出させた複数の金属露出部７２ａ，７２ｂ及び回路露出部７３ａ，７３ｂ，７３ｃが露出されている。金属露出部７２ａ，７２ｂは回路芯材で形成されているが、電気回路の一部を構成するものではなく、一方、回路露出部７３ａ〜７３ｃは回路芯材によって電気回路の一部として構成されている。
【００６４】
一対の第１の金属露出部７２ａ，７２ａには貫通穴７４がそれぞれ設けられており、これらの貫通穴７４には調整プレート３８の一対の脚片がそれぞれ挿入されている。一対の脚片は第１の金属露出部７２ａとハンダ接着により接合され、これにより調整プレート３８がベース部材２２に固定されている。また、一対の第２の金属露出部７２ｂには爪穴２２ｂがそれぞれ設けられており、これらの爪穴２２ｂにはプリズムホルダ３７の一対の係止爪３７ｃがそれぞれ挿通されている。そして、一対の係止爪３７ｃは第２の金属露出部７２ｂとハンダ接着により接合され、これによりプリズムホルダ３７がベース部材２２に取り付けられている。
【００６５】
また、電気回路の一部をなす第１の回路露出部７３ａには複数のコンデンサ７４ａが実装されている。同様に、電気回路の一部をなす第２の回路露出部７３ｂには可変抵抗７４ｂがハンダ接着により実装されている。尚、第３の回路露出部７３ｃは、レーザ光源２５としての半導体レーザの静電破壊を防ぐためのショートランドである。
【００６６】
このような構成を有する光ピックアップ装置２０による情報信号の記録及び／又は再生動作は、例えば、次のようにして行われる。図５に示すように、レーザ光源２５から放射された光ビームは、水平方向に進行してプリズム３３の第１の回折格子部３３ｂから入射され、この第１の回折格子部３３ｂで３つの光束に分割されて水平方向に進行する。そして、プリズム３３を透過して第２の回折格子部３３ｃ側から出射され、反射ミラー４８に入射される。反射ミラー４８に入射された光ビームは、反射面で上方に反射されて進路が９０°変更され、上方に対向された対物レンズ４４に入射される。
【００６７】
対物レンズ４４で絞られた光ビームは、その上方に配置される光学ディスク５０の情報記録面に照射され、その表面で反射されて逆戻りされる。即ち、情報記録面で反射された光ビームは、いま来た光路を逆戻りし、下方に進行して対物レンズ４４を透過する。この対物レンズ４４を透過した光ビームは、反射ミラー４８で９０°方向が変換されて水平方向に進行し、プリズム３３の第２の回折格子部３３ｃから入射される。このプリズム３３に入射された戻りの光ビームは、第２の回折格子部３３ｃによって上方に少々屈折され、反射面３３ａで反射される。この反射面３３ａで反射された光ビームは、進行方向が下方に変更され、プリズム３３の下面から出射されて光検出器２６の受光部に入射される。
【００６８】
このようにしてレーザ光源２５から出射されて光検出器２６に入射される光ビームの状態を読むことにより、情報記録面に予め記録されている情報信号を読み取る（再生）ことができると共に、その読み取り時に生じるフォーカス誤差信号及びトラッキング誤差信号を同時に読み取ることができる。また、レーザ光源２５から高出力の光ビームを放射することにより、その光ビームを用いて情報記録面に新たな情報信号を書き込む（記録）ことができる。
【００６９】
このような光ピックップ装置２０において、光ビームを放射するレーザ光源２５及び光ビームが入射される光検出器２６は、パッケージで覆われない裸の状態でスライドベース２１内に収納されているが、これらレーザ光源２５及び光検出器２６は、光ビームが通過するプリズム３３側の部分を除いて、ベース部材２２に設けた第１の囲い壁６０とカバー部材２３に設けた第２の囲い壁６１との組み合せからなるラビリンス構造によって覆われている。このような第１及び第２の囲い壁６０，６１からなるラビリンス構造の働きにより、ゴミ（チリや埃その他の異物を含む。）の侵入が防止される。その結果、ゴミがスライドベース２１内に入り込むのが防止又は抑制され、レーザ光源２５や光検出器２６にゴミが付着するのを効果的に防止又は抑制することができる。
【００７０】
上述したような構成を有する光ピックアップ装置２０は、例えば、図９に示すような構成を備えた光情報記録及び／又は再生装置の一具体例を示すディスクドライブ装置８０に用いることができる。このディスクドライブ装置８０は、光学ディスクの一具体例を示す光ディスクをチャッキングして所定速度（例えば、線速度一定）で回転駆動するディスク回転装置８１と、回転する光ディスクの情報記録面に対して情報信号の記録（書込み）及び再生（読出し）を行う上述した光ピックアップ装置２０と、この光ピックアップ装置２０をディスク回転装置８１に対して接近又は離反するように進退動作させるピックアップ移動装置８２と、これらの装置が搭載されたシャーシ８３等を備えて構成されている。
【００７１】
尚、光学ディスクとしては、例えば、オーディオ情報としての音楽信号やビデオ情報としての映像信号及び音楽信号等の情報信号が予め記録された再生専用型の光ディスク、音楽信号や映像信号等の情報信号が１度だけ記録可能な光ディスク（追記型）、或いは何度でも繰り返して記録可能な光ディスク（書換え型）等のように各種の光ディスクを適用することができる。更に、光学ディスクとしては、これらの光ディスクに限定されるものではなく、例えば、薄い円盤の表面に磁性薄膜層を形成し、この磁性薄膜層に光ヘッドと磁気ヘッドを用いて情報を書き込み又は読み出すようにした光磁気ディスクその他のディスク状をなす記録媒体を用いることができるものである。
【００７２】
ディスクドライブ装置８０のシャーシ８３は、砲弾の先端部を切り取ったような平面形状を有しており、その周縁を連続させて上方へ立ち上げることによって補強用の周縁壁８３ａが設けられている。そして、周縁壁８３ａの４箇所には、このシャーシ８３を、例えば、ＣＤ（コンパクトディスク）プレーヤやＤＶＤ（デジタルバーチャルディスク）プレーヤ等の電子機器に装着するための支持突起８３ｂが設けられている。
【００７３】
このシャーシ８３の略中央部には第１の開口部８４ａが設けられ、また、先細側には第２の開口部８４ｂが設けられている。更に、シャーシ８３の第１の開口部８４ａと第２の開口部８４ｂとの間にはディスク回転装置８１が設けられ、また、第１の開口部８４ａを跨ぐようにして光ピックアップ装置２０が設けられている。そして、光ピックアップ装置２０の一側にピックアップ移動装置８２が設けられている。
【００７４】
ディスク回転装置８１は、モータベース板８５と、このモータベース板８５に固定されたスピンドルモータ８６と、このスピンドルモータ８６の回転部に一体に設けられたターンテーブル８７等を備えて構成されている。スピンドルモータ８６は、薄い板金製のモータベース板８５上に取り付けられており、このモータベース板８５が固定ネジ等の固着手段によってシャーシ８３に固定されている。このモータベース板８５の上面にはフレキシブル配線板８８の一側が接着剤等の固着手段によって固定されている。
【００７５】
スピンドルモータ８６は、モータベース板８５に固定される固定部と、この固定部によって回転自在に支持される回転部とを有し、回転部の回転中心となる回転軸にターンテーブル８７が一体的に設けられている。ターンテーブル８７は、光ディスクのセンタ穴に嵌合される嵌合部と、この嵌合部の下部に連続すると共に光ディスクのセンタ穴の周縁部が載置される載置部等を有している。そして、嵌合部の内部に、図示しないチャックリングを吸着するマグネットが内蔵されている。このマグネットでチャックリングを吸着し、そのチャックリングと載置部とで光ディスクのセンタ穴の周縁部を挟持することにより、光ディスクがチャッキングされてターンテーブル８７と一体的に回転可能な状態となる。
【００７６】
また、ピックアップ移送装置８２は、光ピックアップ装置２０の移動をガイドする一対のガイド軸９０ａ，９０ｂと、光ピックアップ装置２０を進退移動させる送りねじ駆動装置９１等を備えて構成されている。一対のガイド軸９０ａ，９０ｂは、スピンドルモータ８６を両側から挟むような位置において、互いに平行となるように配置されている。更に、一対のガイド軸９０ａ，９０ｂは、外周面が平滑とされた丸棒状の部材によって形成されている。
【００７７】
第１のガイド軸９０ａは、光ピックアップ装置２０のスライドベース２１を構成するカバー部材２３に設けた主軸受５２の軸受穴５２ａ，５２ａを摺動自在に貫通していると共に、その両端部が調整プレート９２によって両端支持されている。また、第２のガイド軸９０ｂは、カバー部材２３に設けた副軸受５３の軸受溝を摺動自在に貫通していると共に、その両端部がシャーシ８３によって両端支持されている。調整プレート９２は、シャーシ８３に対して姿勢変更可能に取り付けられており、この調整プレート９２の姿勢を変更することによって一対のガイド軸９０ａ，９０ｂ間の平行度が調整可能とされている。
【００７８】
更に、一対のガイド軸９０ａ，９０ｂのうち第１のガイド軸９０ａは、調整プレート９２に設けた一対の軸支持片９３ａ，９３ａによって支持されている。各軸支持片９３ａには軸押え片９３ｂが対をなすように設けられている。この軸押え片９３ｂを固定ネジ９３ｃでネジ止めすることにより、第１のガイド軸９０ａの各端部が軸支持片９３ａにそれぞれ固定されている。また、第２のガイド軸９０ｂは、シャーシ８３に設けた一対の軸支持片９４ａ，９４ａによって支持されている。各軸支持片９４ａには軸押え片９４ｂが対をなすように設けられている。この軸押え片９４ｂを固定ネジ９４ｃでネジ止めすることにより、第２のガイド軸９０ｂがシャーシ８３に両端支持されている。
【００７９】
また、調整プレート９２には、送りねじ駆動装置９１が取り付けられている。送りねじ駆動装置９１は、図１０に拡大して示すように、送りねじ９５と送りモータ９６と支持プレート９７と動力伝達部材９８等を備えて構成されている。送りねじ９５は、ガイド軸９０ａ，９０ｂよりも少し短い丸棒の外周面に、螺旋状に延在された１条のねじ溝９５ａを軸方向の略全長に渡って設けることにより形成されている。この送りねじ９５は、駆動源である送りモータ９６の回転軸を兼ねており、直接回転駆動される。
【００８０】
送りモータ９６は、円筒状のモータケース９６ａと、このモータケース９６ａの一方の開口部を閉じるケースカバー９６ｂとを有している。モータケース９６ａは、支持プレート９７のモータ支持片９７ａにカシメ等の固着手段により固定されて一体的に構成されている。図示しないが、モータケース９６ａの内周面にはリング状に巻かれたコイル部が嵌合固定されており、その内側にリング状のマグネットが回転自在に支持されている。このマグネットの中央部に、送りねじ９５の一端が圧入等の固着手段により嵌合されている。
【００８１】
支持プレート９７は、送りねじ９５と略同程度の長さを有する板金製の細長い板材によって形成されている。この支持プレート９７の長手方向の両端に、それぞれの端部を同方向に立ち上げるように設けた上述のモータ支持片９７ａとネジ支持片９７ｂとが対向されている。モータ支持片９７ａには貫通孔９７ｃが設けられ、またネジ支持片９７ｂには同一の高さとなる嵌合孔９７ｄが設けられている。モータ支持片９７ａの外側に送りモータ９６が固定され、その送りねじ９５が貫通孔９７ｃを貫通し、送りねじ９５の先端部が、嵌合孔９７ｄに嵌合固定される軸受部材によって回動自在に支持されている。
【００８２】
また、支持プレート９７には、その幅方向の一辺を長手方向に連続させて立ち上げることによりガイド突条９９が設けられている。このガイド突条９９は送りねじ９５の略真下に配置されていると共に、送りねじ９５の軸心線と略平行となるように延在されている。更に、支持プレート９７には、２つの挿通孔９７ｅと、２つの位置決め孔９７ｆとが設けられている。２つの位置決め孔９７ｆによって支持プレート９７が所定位置に位置決めされ、また、挿通孔９７ｅに挿通される取付ねじ９９ａによって支持プレート９７が調整プレート９２に取り付けられている。
【００８３】
動力伝達部材の一具体例を示す送りナット９８は、送りねじ９５の回転力を直線運動に変換してスライドベース２１に伝達するもので、第１のナット部材９８ａ及び第２のナット部材９８ｂと、両ナット部材９８ａ，９８ｂを互いに離反する方向へ付勢するコイルばね９８ｃとから構成されている。
【００８４】
第１のナット部材９８ａは、ブロック状に形成されたナット本体と、このナット本体の一面側に連続して形成された円筒状の筒軸部とを有し、これらを貫通する軸方向孔の一側に送りねじ９５のねじ溝９５ａに螺合される第１のねじ部９８a1が設けられている。更に、第１のナット部材９８ａには、軸方向と直交する側方に突出する突出部９８a2が設けられている。この突出部９８a2には筒軸部が延びる方向に延在されたスリットが設けられており、このスリットに支持プレート９７のガイド突条９９が摺動自在に係合されている。
【００８５】
また、第２のナット部材９８ｂは、スリーブ状に形成された円筒体からなり、その中心部に軸方向孔が貫通されている。軸方向孔の一側には、送りねじ９５のねじ溝９５ａに螺合される第２のねじ部９８b1が設けられている。更に、軸方向孔には第１のナット部材９８ａの筒軸部が挿脱可能に嵌合される嵌合穴が設けられており、この嵌合穴に半径方向内側に突出したキー状突起が設けられている。この第２のナット部材９８ｂと第１のナット部材９８ａとの間にコイルばね９８ｃが介在され、そのバネ力で一対のナット部材９８ａ，９８ｂを離反する方向へ付勢することにより、送りナット９８と送りねじ９５との間に生ずる軸方向のガタを吸収するようにしている。
【００８６】
このような構成を有する第１及び第２のナット部材９８ａ，９８ｂとコイルばね９８ｃとが、一体的に組み合わされて送りねじ９５に組み立てられている。そして、第１のナット部材９８ａの突出部９８a2に設けたスリットが支持プレート９７のガイド突条９９に係合されている。その結果、ガイド突条９９によって送りナット９８の回転が防止され、送りねじ９５の回転に基づいてその軸方向に、送りナット９８が直線的に移動される。
【００８７】
更に、第１のナット部材９８ａには、側方に突出する駆動突起１００が設けられている。この駆動突起１００には、スライドベース２１に固定される突起受け部材１０１が係合されている。この突起受け部材１０１を介して送りナット９８の移動力がスライドベース２１に伝達される。突起受け部材１０１は、スライドベース２１に固定するための固定片１０１ａと、この固定片１０１ａに連続された支持片１０１ｂと、この支持片１０１ｂに連続された弾性片１０１ｃとを有している。
【００８８】
固定片１０１ａは細長い板材からなり、その長手方向中途部の幅方向一側に、Ｌ字状の支持片１０１ｂが設けられている。そして、支持片１０１ｂの自由端側の先端角部に、駆動突起１００を受けて支持するための切欠きからなる支持部１０１ｄが設けられている。弾性片１０１ｃは、三角形に折り曲げて２つの角部を設けることによって適度な強さの弾性が付与されており、先端の折曲部を押え部１０１ｅとして形成して支持部１０１ｄに対向させている。更に、固定片１０１ａには複数の挿通孔が設けられており、この挿通孔に挿通される固定ねじによって突起受け部材１０１がスライドベース２１に取り付けられている。
【００８９】
このように取り付けられた突起受け部材１０１の支持部１０１ｄと押え部１０１ｅとの間に、送りねじ９５に装着された送りナット９８の駆動突起１００が挿入されて係合される。そして、弾性片１０１ｃのバネ力によって駆動突起１００が支持部１０１ｄと押え部１０１ｅとで挟持され、これにより、突起受け部材１０１を介して送りナット９８とスライドベース２１との間に力の伝達が可能となる。
【００９０】
次に、上述したディスクドライブ装置８０を駆動制御する回路構成について説明する。図１１は、本発明の光情報記録及び／又は再生装置の一実施例を示すディスクドライブ装置８０の回路構成を示すもので、情報信号の記録（書込み）と再生（読出し）の両方を可能とした光ディスク記録再生装置に適用したブロック説明図である。
【００９１】
図１１において、符号１１０は、スピンドルモータ８６及び送りモータ９６の回転を駆動制御するシステム制御装置である。このシステム制御装置１１０は、光ピックアップ装置２０をサーボ制御するサーボ回路１１１との間で信号のやり取りが可能なように接続されている。このシステム制御装置１１０には、電源スイッチや各種の操作ボタン等が設けられた操作パネル１１２が接続されている。また、光ピックアップ装置２０には光ビームの駆動検出回路１１３が接続されており、この駆動検出回路１１３の出力がシステム制御装置１１０及びサーボ回路１１１に供給される。更に、駆動検出回路１１３には、入力端子１１４及び出力端子１１５が接続された記録再生回路１１６が接続されている。
【００９２】
このような構成を備えた光ディスク記録再生装置によれば、例えば、次のようにして、光ディスク５０に対する情報信号の記録及び／又は再生が行われる。まず、ユーザーが操作パネル１１２を操作することにより、その操作情報がシステム制御装置１１０に入力され、その操作情報に基づいてシステム制御装置１１０から制御信号がスピンドルモータ８６、送りモータ９６及びサーボ回路１１１に出力される。
【００９３】
システム制御装置１１０からの制御信号がスピンドルモータ８６に供給されると、このスピンドルモータ８６が、例えば、線速度が一定となるように回転駆動される。また、システム制御装置１１０からの制御信号によって送りモータ９６が駆動され、この送りモータ９６の駆動により、光ビームが光ディスク５０の情報記録面における所望の位置に照射されるように光ピックアップ装置２０の移動が行われる。
【００９４】
そして、例えば、入力端子１１４からの情報信号が記録再生回路１１６を通じて光ビームの駆動検出回路１１３に供給される。この駆動検出回路１１３からの信号に従って光ピックアップ装置２０での光ビームの出力が制御されることにより、光ディスク５０の情報記録面に対して入力端子１１４からの情報信号の記録が行われる。また、光ディスク５０の情報記録面に予め記録された情報信号が駆動検出回路１１３によって検出され、この検出された情報信号が記録再生回路１１６を通じて出力端子１１５に取り出される。
【００９５】
これと共に、駆動検出回路１１３では光ビームのトラッキング用誤差信号とフォーカシング用誤差信号が検出され、これらの誤差信号がサーボ回路１１１に供給される。これにより、サーボ回路１１１から光ピックアップ装置２０に制御信号が供給され、上述した二軸アクチュエータ２４によるトラッキング及び／又はフォーカシングの制御駆動が行われる。また、操作パネル１１２からの操作信号がシステム制御装置１１０に供給されることにより、所望の記録位置や再生位置への光ピックアップ装置２０の移動、その他の制御が行われる。そして、二軸アクチュエータ２４を含む光ピックアップ装置２０からの光ビームが光ディスク５０の情報記録面に照射されることにより、情報信号の記録及び／又は再生が行われる。
【００９６】
以上説明したが、本発明は上述した実施例に限定されるものではなく、上記実施例においては情報記録媒体として光ディスクを用いた例について説明したが、例えば、光ヘッドと磁気ヘッドを同時に使用して情報の記録及び／又は再生を行う光磁気ディスクその他のディスク状記録媒体に適用することができる。更に、上記実施例では、光情報記録及び／又は再生装置として記録及び再生の双方が可能であるディスク記録再生装置に適用した例について説明したが、記録又は再生の一方のみが可能なディスク記録装置又はディスク再生装置に適用できることは勿論である。
【００９７】
また、上記実施例においては、スライドベース２１をベース部材２２とカバー部材２３とで構成し、両部材２２，２３に囲い壁６０，６１を設けてラビリンス構造６５を構成したが、これに限定されるものではなく、例えば、ベース部材２２とカバー部材２３の機能を合わせ持つスライドベースを１個の部材で構成すると共に二軸アクチュエータ２４を覆う保護カバーを設け、スライドベースと保護カバーにそれぞれ囲い壁のような突条を設けてラビリンス構造を構成するようにしても良い。更に、ラビリンス構造は、２つの部材を組み合わせて構成する場合のみならず、３以上の部材の組み合わせによって構成することもできる。また、第１の部材に溝を設ける一方、第２の部材には、上記溝に入り込む突条を設け、溝と突条との組み合わせによってラビリンス構造を構成することができることは勿論である。
【００９８】
更に又、上記実施例では、対物レンズ駆動装置として二軸アクチュエータを適用し、その一具体例としてワイヤ支持方式を用いた例について説明したが、これに限定されるものではなく、例えば、可動部を板バネで支持するようにした板バネ方式、可動部をヒンジ機構によって支持するようにしたヒンジ方式、軸を中心に可動部を回転させて対物レンズを横に動かすようにした軸摺動方式等のように各種方式の二軸クチュエータを適用できることは勿論のこと、その他の形式の対物レンズ駆動装置を用いることができる。このように、本発明は、その趣旨を逸脱しない範囲で種々変更できるものである。
【００９９】
【発明の効果】
以上説明したように、本出願の請求項１記載の光ピックアップ装置によれば、レーザ光源及び光検出器の少なくとも一方を、光ビームが通過する部分を除いてラビリンス構造で囲う構成としたため、レーザ光源や光検出器を簡単な構造によって簡易に封止することができ、簡単な構造でありながらゴミ（チリや埃その他の異物を含む。）の侵入を確実に防止し、又はゴミの侵入を効果的に抑制することができる。その結果、レーザ光源や光検出器がゴミによって覆われるのを防止又は抑制することができ、レーザ光源や光検出器にゴミが付着するのを防止又は抑制することができる防塵性に優れた光ピックアップ装置を提供することができるという効果を得ることができる。
【０１００】
本出願の請求項２記載の光ピックアップ装置によれば、レーザ光源及び光検出器の少なくとも一方をスライドベースに実装する構成としたため、簡単な構造でありながらゴミの侵入を確実に防止し又は効果的に抑制することができるスライドベースを備えた光ピックアップ装置を提供することができるという効果を得ることができる。
【０１０１】
本出願の請求項３記載の光ピックアップ装置によれば、レーザ光源の放射部と光検出器の受光部の位置を異ならせると共に互いに接近させて配置する構成としたため、１個のラビリンス構想によってレーザ光源と光検出器の双方を同時に囲うことができ、装置の小型化を図ることができるという効果を得ることができる。
【０１０２】
本出願の請求項４記載の光ピックアップ装置によれば、第１の部材と第２の部材にそれぞれ囲い壁を設け、これらの囲い壁を互いに噛み合うように組み合わせる構成としたため、新たな特別部品を使用することなく、従来から使用されている部品によってレーザ光源や光検出器を囲うラビリンス構造を簡単に造ることができ、ゴミの侵入を確実に防止し又は効果的に抑制することができる装置を提供することができるという効果が得られる。
【０１０３】
本出願の請求項５記載の光情報記録及び／又は再生装置によれば、レーザ光源及び光検出器の少なくとも一方を、光ビームが通過する部分を除いてラビリンス構造で囲う構成としたため、レーザ光源や光検出器を簡単な構造によって簡易に封止することができ、簡単な構造でありながらゴミの侵入を確実に防止し又はゴミの侵入を効果的に抑制することができる。そのため、ゴミがレーザ光源や光検出器に付着するのを防止又は抑制することができ、光ピックアップ装置の防塵性に優れた光情報記録及び／又は再生装置を提供することができるという効果を得ることができる。
【０１０４】
本出願の請求項６記載の光情報記録及び／又は再生装置によれば、レーザ光源及び光検出器の少なくとも一方をスライドベースに実装する構成としたため、簡単な構造でありながらゴミの侵入を確実に防止し又は効果的に抑制することができるスライドベースを有する光ピックアップ装置を備えた光情報記録及び／又は再生装置を提供することができるという効果を得ることができる。
【０１０５】
本出願の請求項７記載の光情報記録及び／又は再生装置によれば、レーザ光源の放射部と光検出器の受光部の位置を異ならせると共に互いに接近させて配置する構成としたため、１個のラビリンス構想によってレーザ光源と光検出器の双方を同時に囲うことができ、装置全体の小型化を図ることができる光ピックアップ装置を備えた光情報記録及び／又は再生装置を提供することができるという効果を得ることができる。
【０１０６】
本出願の請求項８記載の光情報記録及び／又は再生装置によれば、第１の部材と第２の部材にそれぞれ囲い壁を設け、これらの囲い壁を互いに噛み合うように組み合わせる構成としたため、新たな特別部品を使用することなく、従来から使用されている部品によってレーザ光源や光検出器を囲うラビリンス構造を簡単に造ることができ、ゴミの侵入を確実に防止し又は効果的に抑制できる光ピックアップ装置を備えた光情報記録及び／又は再生装置を提供することができるという効果が得られる。
【図面の簡単な説明】
【図１】本発明の光ピックアップ装置に係るベース部材及び対物レンズ駆動装置の一実施例を示す斜視図である。
【図２】図１のベース部材の要部を拡大して示す斜視図である。
【図３】本発明の光ピックアップ装置の一実施例を分解して示す斜視図である。
【図４】本発明の光ピックアップ装置に係るカバー部材を底面側から見た斜視図である。
【図５】本発明の光ピックアップ装置の一実施例を光学系に沿って断面して示す説明図である。
【図６】図５に示すＸ−Ｘ線部分の断面図である。
【図７】本発明の光ピックアップ装置の一実施例を底面側から見た斜視図である。
【図８】本発明の光ピックアップ装置に係るベース部材の一実施例の製造工程を説明するための斜視図である。
【図９】本発明の光情報記録及び／又は再生装置の一実施例を示す斜視図である。
【図１０】本発明の光情報記録及び／又は再生装置の一実施例に係るピックアップ移動装置の送りねじ駆動装置を示す斜視図である。
【図１１】本発明の光情報記録及び／又は再生装置の一実施例の概略構成を示すブロック説明図である。
【図１２】従来の光ピックアップ装置を分解して示す斜視図である。
【符号の説明】
２０  光ピックアップ装置、  ２１  スライドベース、  ２２  ベース部材（第１の部材）、  ２３  カバー部材（第２の部材）、  ２４  二軸アクチュエータ（対物レンズ駆動装置）、  ２５  レーザ光源、  ２６  光検出器、  ３３  プリズム、  ３４，３５  電気回路、  ４４  対物レンズ、  ４８  反射ミラー、  ５０  光ディスク（光学ディスク）、  ５２  主軸受、  ５３  副軸受、  ６０  第１の囲い壁、  ６１  第２の囲い壁、  ６２  内側壁、  ６３  外側壁、  ６４  防塵溝、  ６５  ラビリンス構造、  ８０  ディスクドライブ装置（光情報記録及び／又は再生装置）、  ８１  ディスク回転装置、  ８２  ピックアップ移動装置、  ８３  シャーシ、  ８６  スピンドルモータ、  ８７  ターンテーブル、  ９０ａ，９０ｂ  ガイド軸、  ９１  送りねじ駆動装置
【図１】
2005216329.tif 000003
【図２】
2005216329.tif 000004
【図３】
2005216329.tif 000005
【図４】
2005216329.tif 000006
【図５】
2005216329.tif 000007
【図６】
2005216329.tif 000008
【図７】
2005216329.tif 000009
【図８】
2005216329.tif 000010
【図９】
2005216329.tif 000011
【図１０】
2005216329.tif 000012
【図１１】
2005216329.tif 000013
【図１２】
2005216329.tif 000014